(57)【要約】  歯科分野における経時的な３次元測定のために使用可能な電子印象用トレー（１）において、光学式測定検知素子システム（Ｃ）を含むデバイス、前記検知素子により読取られたデータを収集し記憶し順序付けすることのできる中央管理ユニットを含む電子システムで構成され、一方前記検知素子は歯列弓の全部または一部の光学印象を単数または複数回の採取により実現できるようにするために前記印象用トレーの全部または一部の上に分布している電子印象用トレーである。この電子印象用トレーは、歯列弓の全部または一部の形状を有する部品で構成され、かつ、最適な形状を提供するために、互いに連接されかつ／または可逆的に組立て可能かつ一体化可能な複数の要素からなる構造および／または変形能力を通して変化する設計を有する部品（２、２１）で構成されている。【選択図】図１ａ．１ｂ．１ｃ．１ｄ
2021511938.tif 000002
【特許請求の範囲】
【請求項１】
歯科分野における経時的な３次元測定のために使用可能な電子印象用トレー（１）において、光学式測定検知素子システム（Ｃ）を含むデバイス、前記検知素子により読取られたデータを収集し記憶し順序付けすることのできる中央管理ユニットを含む電子システムで構成され、一方前記検知素子が歯列弓の全部または一部の光学印象を単数または複数回の採取により実現できるようにするために前記印象用トレーの全部または一部の上に分布している電子印象用トレーであって、電子印象用トレーが、歯列弓の全部または一部の形状を有する部品（２、２１）で構成され、かつ、最適な形状を提供するために、互いに連接されかつ／または可逆的に組立て可能かつ一体化可能な複数の要素（３４、２４、２５、２６、２７、２８）からなる構造および／または変形能力を通して変化する設計を有する部品で構成されていることを特徴とする、電子印象用トレー（１）。
【請求項２】
光学式測定検知素子が、超音波センサー（Ｕ）および／またはＯＣＴ（光干渉断層撮影装置）（Ｔ）に結び付けられていることを特徴とする、請求項１に記載の電子印象用トレー（１）。
【請求項３】
患者の口内で適応された後、初めの形状に戻らない熱可塑性物質または可撓性樹脂などの変形可能な材料で作製されていることを特徴とする、請求項１または２に記載の電子印象用トレー（１）。
【請求項４】
検知素子（Ｃ）が備わったその作用部分（２１）が、咬合特性に適応されたまたは変形によって適応可能な形状を有することを特徴とする、請求項１または２に記載の電子印象用トレー（１）。
【請求項５】
歯列弓の少なくとも一部分の印象採取に各々適応された少なくとも２つの一体化可能な要素（２３、２４、２５、２６、２７、２８）で作製されていること、および前記少なくとも２つの要素（２３、２４、２５、２６、２７、２８）は、そのうちの少なくとも一方の要素の検知素子（Ｃ）が他方の要素の検知素子に結び付けられて、歯列弓の少なくとも一部分の光学印象が前記少なくとも２つの要素（２３、２４、２５、２６、２７、２８）の検知素子を用いて作製されることになるように構成されていることを特徴とする、請求項１または２に記載の電子印象用トレー（１）。
【請求項６】
少なくとも２つの一体化可能な要素（２３、２４、２５、２６、２７、２８）が、嵌合により可逆的に一体化されるように適合されていることを特徴とする、請求項５に記載の電子印象用トレー（１）。
【請求項７】
少なくとも２つの一体化可能な要素（２３、２４、２５、２６、２７、２８）が、磁気的に一体化されるように適合されていることを特徴とする、請求項５に記載の電子印象用トレー（１）。
【請求項８】
歯（Ｄ）上への支承構築手段からなる深さ調節手段（３）を含むことを特徴とする、請求項１または２に記載の電子印象用トレー（１）。
【請求項９】
歯（Ｄ）上への支承構築手段（３）が、検知素子（Ｃ）の間に突出する少なくとも１つのブレード（３０）、ロッドまたはそれに類似するもので構成されていることを特徴とする、請求項８に記載の電子印象用トレー（１）。
【請求項１０】
歯（Ｄ）上への支承構築手段（３）が、検知素子（Ｃ）の上方に延在する少なくとも１つの透明な壁（３１、３２）で構成されていることを特徴とする、請求項８に記載の電子印象用トレー（１）。
【請求項１１】
透明な壁（３１、３２）が目印（Ｇ）を有することを特徴とする、請求項１０に記載の電子印象用トレー（１）。
【請求項１２】
透明な壁（３１、３２）が変形可能であることを特徴とする、請求項１０または１１に記載の電子印象用トレー（１）。
【請求項１３】
透明な壁（３１）が、前記透明な壁（３１、３２）間で摩擦運動を生成できるモーター付きまたはモーター無しの手段と協働する別の透明な壁（３２）に対して摺動接触で結び付けられていることを特徴とする、請求項１０から１２のいずれか一つに記載の電子印象用トレー（１）。
【請求項１４】
周囲および／または中央吸引システム（Ｓ）、および／または水および／または空気噴射システムを含むことを特徴とする、請求項１から１３のいずれか一つに記載の電子印象用トレー（１）。
【請求項１５】
口内部を照らすための構造化されていない受動光投射手段を含むことを特徴とする、請求項１から１４のいずれか一つに記載の電子印象用トレー（１）。
【請求項１６】
情報取得を妨げないように黒色であることを特徴とする、請求項１から１５のいずれか一つに記載の電子印象用トレー（１）。
【請求項１７】
検知素子（Ｃ）を含むその部分（２１）が、印象用トレー（２）の残りの部分から分離され、有線手段（Ｆ）または無線通信システムを介して残りの部分に接続されていることを特徴とする、請求項１から１６のいずれか一つに記載の電子印象用トレー（１）。
【発明の詳細な説明】
【技術分野】
【０００１】
本発明の目的は、歯科情報捕捉のための、歯列弓の全部または一部の三次元写真を得ることを可能にする電子印象採取システムにある。
【０００２】
本発明はより詳細には、歯科分野における経時的な３次元測定のために使用可能な電子印象用トレーにおいて、場合によっては超音波センサーおよび／またはＯＣＴ（光干渉断層撮影装置）に結び付けられた光学式測定検知素子システムを含むデバイス、前記検知素子により読み取られたデータを収集し記憶し順序付けすることのできる中央管理ユニットを含む電子システムで構成され、一方前記検知素子は光学印象を単数または複数回の採取により実現できるようにするために前記印象用トレーの全部または一部の上に分布している電子印象用トレーを提案することを目的としている。
【背景技術】
【０００３】
当該発明者はすでに、情報処理手段と組み合わせて臨床行為の異なる段階を設計しそれにしたがって機械上での義歯の実現を導くかまたは同僚と通信して診断を探究することを可能にする、患者の口内での光学的または超音波測定を用いて歯科診断および義歯を実現する手段を提案した。
【０００４】
当該発明者の多くの研究作業により、特に、ただし非限定的に、光学的手段による印象採取に関する欧州特許第００４０１６５号明細書および欧州特許第００９１８７６号明細書などの中、そしてより最近では新規の特許である国際公開第２０１１／１５４６５６号中に記載の多くの発明が実現されるに至っている。
【０００５】
これらの文書は、特に国際公開第２０１１／１５４６５６号中に記載されているものなどの現代の歯科医療の需要に実際に対応しているが、使用にあたっては、これらの発明の実施にはその活用を容易にするための補足的研究が必要となったということが明らかになっている。
【０００６】
その上、他の解決法が提案されている文書も公知である。
【０００７】
それは例えば米国特許出願公開第２０１７／１００２１９号明細書の場合で、この文書は、１本の歯または歯全体の少なくとも一部分の印象を採取することのできる検知素子手段を含む印象用トレーを提案しており、ここで前記検知素子手段は１つの注入成形材料と結び付けられ、通常は印象採取のために使用され、そのためこのような印象用トレーは満足のいくものではない。
【０００８】
同様に、米国特許出願公開第２０１５／１１８６３８号明細書から、プレートまたはシュートで構成され、組み合された状態で、人工器具着装のために人の抜歯の溝の深さを決定することを目的とする画像を得ることを可能にする検知素子手段を備えた印象用トレーも公知である。このような印象用トレーは、歯科情報の捕捉を可能にしない。
【０００９】
同様に、米国特許出願公開第２０１７／１２８１７３号明細書から、オペレータが把持するための取っ手および３Ｄスキャナを含むマウスピースならびに前記マウスピースの内部で前記３Ｄスキャナを移動させる手段を含むスキャン装置も公知である。このような装置は使用が簡単であると考えられている可能性があるが、その使用には限界がある。実際、マウスピースの内部での３Ｄスキャナの運動能力の如何に関わらず、表面に到達できたとしても、それら全ての表面に同じ精度で到達できるわけではない。
【００１０】
光学印象に結び付けられる骨の輪郭を知るには、複雑な操作が余儀なくされ、非常に多くの知識が必要となり、こうして仕様に対応するべき包括的な印象用トレーシステムを設計することが明らかになっている。
【００１１】
この仕様にしたがうと、電子印象用トレーはまず、臨床医にとって簡単に使用できるものでなくてはならず、口内への設置は自然で、短時間かつ迅速でなければならない。患者にとって、それは不安を感じさせるものであってはならない。
【００１２】
詳細には、その形状は、異なる歯列弓形状に適応されていなければならず、さらには、検知素子の体積が極めて小さいことを理由として、使用される光が選択された検知素子を眩惑させてはならない。
【００１３】
測定すべき範囲は頬や歯肉によって制限されていることから、検知素子の数は、照準となる表面が完全に読取りの対応範囲となるように、充分多くなければならない。外形寸法も同様に、厳密に最小限に縮小されていなければならず、こうして、構造化光の投射を用いるあらゆるシステムが一挙に排除される。したがって、立体視法およびＯＣＴのような受動的システムまたは、非常に縮小されたまたは超音波の場合のように統合された送信機および検知素子を使用するシステムが使用されなければならない。
【００１４】
同様に、歯の表面の形状およびその色調、歯肉表面、互いとの関係における歯列弓の動き、さらには時間が許せば骨の輪郭を同時に、または非常に近接した時間内で記録することによって、患者にとって常に不利益な行為である口内の光学印象の効果を高める可能性も提供する必要性がある。
【先行技術文献】
【特許文献】
【００１５】
【特許文献１】欧州特許第００４０１６５号明細書
【特許文献２】欧州特許第００９１８７６号明細書
【特許文献３】国際公開第２０１１／１５４６５６号
【特許文献４】米国特許出願公開第２０１７／１００２１９号明細書
【特許文献５】米国特許出願公開第２０１５／１１８６３８号明細書
【特許文献６】米国特許出願公開第２０１７／１２８１７３号明細書
【発明の概要】
【発明が解決しようとする課題】
【００１６】
本発明の目的は、快適性と迅速性において患者に満足を与えながら、しかも投資の合理性を保ちつつ、過度に複雑で過度に長期間にわたる訓練を受ける義務を臨床医に課すこともなく、比較的低いコストでこれらの需要全てを満たすことにある。
【課題を解決するための手段】
【００１７】
したがって、本発明に係る電子印象用トレーは、歯科分野における経時的な３次元測定のために使用可能であり、光学式測定検知素子システムを含むデバイス、前記検知素子により読取られたデータを収集し記憶し順序付けすることのできる中央管理ユニットを含む電子システムで構成され、一方前記検知素子は歯列弓の全部または一部の光学印象を単数または複数回の採取により実現できるようにするために前記印象用トレーの全部または一部の上に分布しており、この電子印象用トレーは、歯列弓の全部または一部の形状を有する部品で構成され、かつ、最適な形状を提供するために、互いに連接されかつ／または可逆的に組立て可能かつ一体化可能な複数の要素からなる構造および／または変形能力を通して変化する設計を有する部品で構成されていることを特徴とする。
【００１８】
本発明に係る電子印象用トレーの追加の特徴によると、光学式測定検知素子は超音波センサーおよび／またはＯＣＴ（光干渉断層撮影装置）に結び付けられている。
【００１９】
本発明に係る電子印象用トレーの別の追加の特徴によると、この電子印象用トレーは、患者の口内で適応された後、初めの形状に戻らない熱可塑性物質または可撓性樹脂などの変形可能な材料で作製されている。
【００２０】
本発明に係る電子印象用トレーの別の追加の特徴によると、検知素子が備わったその作用部分は、咬合特性に適応されたまたは変形によって適応可能な形状を有する。
【００２１】
本発明に係る電子印象用トレーの別の追加の特徴によると、この電子印象用トレーは、歯列弓の少なくとも一部分の印象採取に各々適応された少なくとも２つの一体化可能な要素で作製されており、および前記少なくとも２つの要素は、そのうちの少なくとも一方の要素の検知素子が他方の要素の検知素子に結び付けられて、歯列弓の少なくとも一部分の光学印象が前記少なくとも２つの要素の検知素子を用いて作製されることになるように構成されている。
【００２２】
本発明に係る電子印象用トレーの別の追加の特徴によると、少なくとも２つの一体化可能な要素は、嵌合により可逆的に一体化されるように適合されている。
【００２３】
本発明に係る電子印象用トレーの別の追加の特徴によると、少なくとも２つの一体化可能な要素は磁気的に一体化されるように適合されている。
【００２４】
本発明に係る電子印象用トレーの別の追加の特徴によると、この電子印象用トレーは、歯上への支承構築手段からなる深さ調節手段を含む。
【００２５】
本発明に係る電子印象用トレーの別の追加の特徴によると、歯上への支承構築手段は、検知素子の間に突出する少なくとも１つのブレード、ロッドまたはそれに類似するもので構成されている。
【００２６】
本発明に係る電子印象用トレーの別の追加の特徴によると、歯上への支承構築手段は、検知素子の上方に延在する少なくとも１つの透明な壁で構成されている。
【００２７】
本発明に係る電子印象用トレーの別の追加の特徴によると、透明な壁は、目印を有する。
【００２８】
本発明に係る電子印象用トレーの別の追加の特徴によると、透明な壁は、変形可能である。
【００２９】
本発明に係る電子印象用トレーの別の追加の特徴によると、透明な壁は、前記透明な壁間で摩擦運動を生成できるモーター付きまたはモーター無しの手段と協働する別の透明な壁に対して摺動接触で結び付けられている。
【００３０】
本発明に係る電子印象用トレーの別の追加の特徴によると、この電子印象用トレーは、周囲および／または中央吸引システム、および／または水および／または空気噴射システムを含む。
【００３１】
本発明に係る電子印象用トレーの別の追加の特徴によると、この電子印象用トレーは、口内部を照らすための構造化されていない受動光投射手段を含む。
【００３２】
本発明に係る電子印象用トレーの別の追加の特徴によると、この電子印象用トレーは、情報取得を妨げないように黒色である。
【００３３】
本発明に係る電子印象用トレーの別の追加の特徴によると、検知素子を含むその部分は、印象用トレーの残りの部分から分離され、有線手段または無線通信システムを介して残りの部分に接続されている。
【００３４】
本発明に係る電子印象用トレーの利点および特徴は、その非限定的な複数の実施形態を表わす添付図面に関連する以下の説明から、より明確になるものである。
【図面の簡単な説明】
【００３５】
【図１ａ．１ｂ．１ｃ．１ｄ】本発明に係る電子印象用トレーの異なる実施形態の概略的平面図を表わす。
【図２ａ．２ｂ．２ｃ】異なる使用構成における本発明に係る電子印象用トレーの別の実施形態の概略的斜視図を表わす。
【図３ａ．３ｂ．４】異なる使用構成における本発明に係る電子印象用トレーの概略的断面図を表わす。
【図５】本発明に係る電子印象用トレーの特定の一実施形態の概略的斜視分解組立図を表わす。
【図６ａ．６ｂ．６ｃ】異なる使用構成における本発明に係る電子印象用トレーの別の実施形態の概略的平面図を表わす。
【図７ａ】構成の変形形態にしたがった、本発明に係る電子印象用トレーの概略的部分平面図を表わす。
【図７ｂ】図７ａの概略的断面図を表わす。
【図８ａ】構成の変形形態にしたがった、本発明に係る電子印象用トレーの概略的部分平面図を表わす。
【図８ｂ】図８ａの概略的断面図を表わす。
【図９ａ．９ｂ．９ｃ．１０ａ．１０ｂ】異なる変形実施形態にしたがった、本発明に係る電子印象用トレーの概略的平面図を表わす。
【図１１ａ】本発明に係る電子印象用トレーの別の実施形態の概略的平面図を表わす。
【図１１ｂ．１１ｃ】異なる使用構成の同じ印象用トレーを表わす。
【図１２ａ．１２ｂ】本発明に係る電子印象用トレーの一変形形態の概略的平面図を表わす。
【図１３ａ．１３ｂ】特定の配置の枠内での、本発明に係る電子印象用トレーの部分の概略的斜視図を表わす。
【図１４ａ．１４ｂ．１４ｃ】本発明に係る電子印象用トレーの別の実施形態の概略図を表わす。
【図１５】図１４ａ、１４ｂ、１４ｃの電子印象用トレーの一要素の概略的部分斜視図を表わす。
【図１６ａ．１６ｂ】図１４ａ、１４ｂおよび１４ｃの光学印象用トレーの変形実施形態の概略的部分斜視図を表わす。
【図１７ａ．１７ｂ】図１４ａ、１４ｂおよび１４ｃの電子印象用トレーの変形実施形態の変化の概略的部分斜視図を表わす。
【図１８】図１４ａ、１４ｂおよび１４ｃに適合する電子印象用トレーの概略的断面図を表わす。
【図１９】１つのオプションを備えた、本発明に係る電子印象用トレーの概略的斜視図を表わす。
【図２０】臨床現場における電子印象採取設備全体の斜視図を表わす。
【図２１ａ．２１ｂ】本発明に係る電子印象用トレーの２つの実施形態を表わす。
【発明を実施するための形態】
【００３６】
本発明は、歯列弓または歯列弓の一部分に対面して配置するためのカメラおよび光投射手段を含む印象用トレーで構成される。
【００３７】
図１ａ、１ｂ、１ｃおよび１ｄを参照すると、印象用トレーの用途に応じて配設された一連の光学式測定検知素子Ｃの備わった部品２を含む、異なるタイプの本発明に係る電子印象用トレー１が見られ、この場合、これらの図中に表わされている異なるタイプの印象用トレー１は各々、歯列弓の定義された一部分の印象採取を可能にする。
【００３８】
部品２は本質的に２つの部分、すなわち臨床医による把持用取っ手を構成する部分２０と、検知素子Ｃを含む作用部分２１とを有する。
【００３９】
したがって、図１ａおよび１ｂは、半歯列弓の印象採取のための印象用トレー１を表わし、図１ｃおよび１ｄは、歯列弓の部分の印象採取用の印象用トレー１を表わす。
【００４０】
部分は、好適には、口の内部を単に照らすためのただし測定用媒体としては役立たないハロゲンまたは単一のＬＥＤまたはレーザーによって生成される非構造化受動光の投射用の、図示されてはいないが一連の検知素子Ｃの間に配置された手段を含んでいるという点を指摘しておく。
【００４１】
図２ａ、２ｂおよび２ｃを参照すると、完全な歯列弓の印象採取を目的とする印象用トレー１が見られ、作用部分２１は、円弧の形をしている。このような印象用トレー１は、上部歯列弓と下部歯列弓の印象採取に適応したものであり得る。
【００４２】
有利には、部品２は、非限定的に、好ましくは患者の口内で適応された後、初めの形状に戻らない、熱可塑性物質または可撓性樹脂などの変形可能な材料で作製され得る。
【００４３】
この場合、検知素子ならびに光投射用手段は、患者の口に対する調整の変形の間、それらの公知の校正された空間位置を過度に遠ざけることのないように、単位毎にまたは群毎に移動できるように想定されている。
【００４４】
図３ａおよび３ｂを見れば分かるように、検知素子は、非限定的に、図示されていない印象用トレー上に対を成して配置され、例えば各対の中で互いに連接されて、単数または複数の歯Ｄを、同一平面内にとどまりながら最適な形で取り囲むことができる。
【００４５】
したがって、図４は、２つの印象用トレーを示しており、そのうちの一方は例えば連接部Ｒを介して異なる位置で表わされており、それに対して他方の印象用トレーは静止状態にとどまっている。
【００４６】
ここで図５を参照すると、特に測定値を捕捉できるかまたはできないように一連の検知素子Ｃ全体が取り外し可能であるという点において本発明に係る電子印象用トレー１のモジュール方式の別の可能性を見ることができる。
【００４７】
この場合、部品２の作用部分２１は、完全な歯列弓そして非限定的に円弧状の平行な２つの一連の検知素子Ｃを有し、１つの要素２２が作用部分２１に固定され、この要素２２は、第３の一連の検知素子を含み、こうして測定の精度、分解能および／または表面積を増大させている。
【００４８】
図６ａ、６ｂおよび６ｃを参照すると、歯列弓の印象採取のために別個にまたは併せて使用でき、その作用部分のところで半歯列弓に各々対応する２つの組立て可能な部分２３および２４で構成されている印象用トレー２が見え、ここで一体化は、非限定的に手段Ｎを介して機械的または磁気的に実現されている。２つ以上の組立て可能な部分を想定することが可能であるということが指摘される。
【００４９】
この構成によると、左側上部半歯列弓の印象用トレー２３が右側下部半歯列弓の印象用トレーに対応し、こうして２つの印象用トレー２３および２４が４つの半歯列弓を作ることのみならず、それらをまとめて上位および下位の２つの完全な歯列弓を作ることをも可能にするため、印象用トレーを簡略化しその数を削減することができる。
【００５０】
図７ａおよび７ｂならびに８ａおよび８ｂを参照すると、印象用トレーが同様に２つの要素２５および２６ならびに２７および２８の形で実現される他の構成によると、２つの要素の組立ての後で、一方の要素の検知素子Ｃは、異なる印象用トレーに共通の変形不可能な同じ物体の一部分（単数または複数の歯の面）に基づいて測定が行われることを理由として、他方の要素の検知素子Ｃと組み合わさって２つの半歯列弓の印象採取の完璧な融合を実現する、ということが分かる。例えば、これは、一方の印象用トレーの検知素子については口腔前庭面であり得るのに対して、他方の印象用トレーの検知素子については、同じ歯の咬合および舌側表面となる。
【００５１】
図９ａ、９ｂおよび９ｃ、そして図１０ａおよび１０ｂを参照すると、互いに予め取り除いた状態で、互いに組立て可能な要素を想定することが可能であるということが分かる。
【００５２】
図１１ａを参照すると、作用部分２１は、咬合状態で上位および下位歯列弓の撮影を可能にするように、咬合の特徴に適応させた、場合によっては適応可能な、例えば曲線といった特定の形状を有するプレートの形を呈することができるということが分かる。
【００５３】
図１１ｂでは、作用部分２１は歯に対面して凹形形状を有し、図１１ｃでは、機械式または電子式の複雑な顔面弓システムに頼ることなく咬合表面の動的モデリングを定義できるようにする咬合運動における根本的な値である咬合ずれを測定する目的で、作用部分はくぼみを有する。
【００５４】
光学検知素子に超音波センサーおよび／またはＯＣＴ（光干渉断層撮影装置）システムを結び付けることにより、歯冠または歯根に関連する治療のような一定の治療中におけるＸ線に対する曝露を制限するために骨質表面だけでなくエナメル質下の部分も含む側面写真も得ることができるということが指摘される。
【００５５】
図１２ａおよび１２ｂを参照すると、任意にはセンサー、超音波システムＵおよび／またはＯＣＴシステムＴ（光干渉断層撮影装置）をその光学検知素子Ｃに対し付加することのできる、本発明に係る印象用トレーデバイスが見られる。これらの異なるシステムは、１つのシステムおよび／または他の複数のシステムを作用させる可能性を有しながら、図１２ａに表わされているように取外し可能であるか、または図１２ｂに表わされているように固定式である。
【００５６】
したがって、所望される測定タイプを選択することが可能であり、どの測定が重要であるべきかを選択できるという利点がある。
【００５７】
ここで図１３を参照すると、特に光学的部分ＣおよびＯＣＴ  Ｔの位置付けを制御するためだけでなく、臨床医による患者の口内での変形および適応後にセンサーの位置を再度平衡化し画像処理システムに対し検知素子の位置を知らせるためにも、印象用トレーの耐用期間中異なる分析方法の検知素子およびセンサーの良好な位置付けをつねに確認できる校正システムが存在していることが分かる。この校正システムＳＣは、印象用トレー内に挿入できるように平面のまたは湾曲した形状を有することができる。
【００５８】
ここで図１４を参照すると、測定対象表面を高精度の範囲である焦平面内に理想的に位置付けするために歯を支承とするまたはしない可能性が想定されているということが分かる。咬合用検知素子の場合、この支点は、図１４ａのように咬合表面上に、および／または図１４ｂのように口腔前庭表面または舌表面上にある。
【００５９】
歯Ｄ上の支承は、図１４Ｃに見られるロッド、ポイント、ボールまたはブレード３０などのスペーサ３を介してか、または図１４ａおよび１４ｂに見える例えばウィンドウなどの透明な壁３１を介して、いくつかの形で実現可能である。
【００６０】
透明な壁３１は、図１５に表わされているように咬合表面および／または口腔前庭および／または舌表面を部分的または全体的に覆うことができる。
【００６１】
有利には、透明な壁３１を使用する場合、これらの透明な壁は、コンピューターのスクリーン上で見え、かつ読取り前に所望される範囲内に印象用トレーを正しく位置付けするだけでなく読取り中に印象採取の経過を見守ることを可能にする、図１６ａおよび１６ｂ上に表わされた溝または標的Ｇを担持することができるということが指摘される。
【００６２】
同様に、有利にも、動的立体画像撮影の一部の場合において、校正およびスケーリングには印象開始時点でわずかな動きが求められる。この動きを容易にするため、図１７ａおよび１７ｂに表わされているように許容された動きの限界内で第１の透明な壁３１上を摺動する第２の透明な壁３２が付加され、この後者の図には、摩擦運動を生成できるようにするモーターＭが表わされている。
【００６３】
照明システムは、良好な読取りを妨げる可能性のある表面上の反射を回避するため、好適には単数または複数の透明な壁３１、３２の周囲にある。
【００６４】
しかしながら、図１８を参照して、単数または複数の透明な壁３１の後ろに例えばＬＥＤタイプの照明システム４を配置することが可能であり、その場合、ガラス板は、可能なかぎり非反射性となるように選択され、光の投射は、その光学軸および存在する場合にはその反射が測定対象範囲内に可能なかぎり少なく到達するような形で行なわれるものとする。
【００６５】
このタイプの反射を回避するため、光スキャンを導く光の投射はつねに遠ざけられ、可能なかぎり徐々に近づくことが少なくなければならない。したがって、スキャンフラッシュの間、第１のフラッシュが印象用トレーの開始範囲内にある場合、第２のフラッシュは好適には反対側の範囲ひいては終了範囲内にあり、次に第３のフラッシュは開始範囲内、次に第４のフラッシュが終了範囲内にあり、以下同様となる。
【００６６】
撮影中、測定対象範囲を唾液、血液または湯気の無い可能なかぎり鮮明な状態に維持することを可能にする、唾液吸引および／または水および空気の噴出用のシステムＳを付加することができる。その流体、吸引またはエネルギーの供給源が歯料ユニット上につねに存在するこれらのシステムは、図１９上に概略的に表わされているように、印象用トレーの全体または一部分（例えば周囲）に適応可能であるものとする。
【００６７】
測定対象範囲の条件付けを補完するため、印象用トレーおよび／または透明な壁の加熱手段を想定することができる。
【００６８】
ここで図２０を参照すると、光学印象採取設備の全体像が見られる。この設備は、ディスプレイスクリーンＥを備えた捕捉画像処理用コンピューターＰを含み、この設備はさらに、この場合は複数であり有線式に接続されている単数または複数の本発明に係る印象用トレーを含むが、ここでは、ＷＩＦＩ、Ｂｌｕｅｔｏｏｔｈまたは他のあらゆるネットワークによる無線接続も同様に可能である。
【００６９】
撮影開始は、臨床医Ｄがボタン、音声またはペダルを用いて実現でき、あるいは患者Ｐがボタンで行なうこともできる。
【００７０】
ここで図２１ａおよび２１ｂを参照すると、印象用トレー２は唯一つの部分または２つの部分でできていてよく、すなわち、作用部分２１は独立していて、このため、口の近くの部分を軽量化できるということが分かる。このためには、電子的構成要素の最適な分布が行なわれる。２つの部分からなる印象用トレーの場合には、作用部分２１は、電線Ｆを介して、好ましくは無線通信システムによって、印象用トレーの残りの部分またはコンピューターに連結される。
【符号の説明】
【００７１】
１  電子印象用トレー
２  部品
２１  作用部分
【図１ａ】
2021511938.tif 000003
【図１ｂ】
2021511938.tif 000004
【図１ｃ】
2021511938.tif 000005
【図１ｄ】
2021511938.tif 000006
【図２ａ】
2021511938.tif 000007
【図２ｂ】
2021511938.tif 000008
【図２ｃ】
2021511938.tif 000009
【図３ａ】
2021511938.tif 000010
【図３ｂ】
2021511938.tif 000011
【図４】
2021511938.tif 000012
【図５】
2021511938.tif 000013
【図６ａ】
2021511938.tif 000014
【図６ｂ】
2021511938.tif 000015
【図６ｃ】
2021511938.tif 000016
【図７ａ】
2021511938.tif 000017
【図７ｂ】
2021511938.tif 000018
【図８ａ】
2021511938.tif 000019
【図８ｂ】
2021511938.tif 000020
【図９ａ】
2021511938.tif 000021
【図９ｂ】
2021511938.tif 000022
【図９ｃ】
2021511938.tif 000023
【図１０ａ】
2021511938.tif 000024
【図１０ｂ】
2021511938.tif 000025
【図１１ａ−１１ｃ】
2021511938.tif 000026
【図１２ａ】
2021511938.tif 000027
【図１２ｂ】
2021511938.tif 000028
【図１３ａ】
2021511938.tif 000029
【図１３ｂ】
2021511938.tif 000030
【図１４ａ】
2021511938.tif 000031
【図１４ｂ】
2021511938.tif 000032
【図１４ｃ】
2021511938.tif 000033
【図１５】
2021511938.tif 000034
【図１６ａ】
2021511938.tif 000035
【図１６ｂ】
2021511938.tif 000036
【図１７ａ】
2021511938.tif 000037
【図１７ｂ】
2021511938.tif 000038
【図１８】
2021511938.tif 000039
【図１９】
2021511938.tif 000040
【図２０】
2021511938.tif 000041
【国際調査報告】
2021511938.tif 000042
2021511938.tif 000043
2021511938.tif 000044
2021511938.tif 000045
2021511938.tif 000046
2021511938.tif 000047